(57)【要約】【課題】  筆記体を交換する際にユーザに不快感を与えない多芯筆記具を提供すること。【解決手段】  各筆記体の後端側に、操作部を有する操作体が設けられており、軸筒の側壁に、前後方向に延びる窓孔が径方向に複数分配されて貫設されており、各操作体の操作部が、対応する窓孔から径方向外方に突出している。軸筒の内部には、ある操作部が前方にスライドされた時に当該操作部に対応する操作体の一部を係止することが可能な係止部が設けられている。軸筒の内部には、複数の筆記体のそれぞれを後方に付勢する複数のコイルスプリングが設けられており、当該複数のコイルスプリングの前端側は、軸筒に固定されたスプリング支持体によって支持されている。スプリング支持体には、複数の筆記体がそれぞれ挿通可能な複数の内孔が設けられており、各内孔の前方端の少なくとも軸筒の中心軸側の一部領域に、面取り領域が設けられている。【選択図】  図６
2018167410.tif 000002
【特許請求の範囲】
【請求項１】
後方に開口する開口部が設けられた軸筒と、
前記軸筒内に交換可能に収容された複数の筆記体と、
を備え、
各筆記体の後端側には、操作部を有する操作体が設けられており、
前記軸筒の側壁には、前後方向に延びる窓孔が径方向に複数分配されて貫設されており、
各操作体の操作部が、対応する窓孔から径方向外方に突出しており、
前記軸筒の内部には、ある操作部が前方にスライドされた時に当該操作部に対応する操作体の一部を係止することが可能な係止部が設けられており、
前記軸筒の内部には、前記複数の筆記体のそれぞれを後方に付勢する複数のコイルスプリングが設けられており、
前記複数のコイルスプリングの前端側は、前記軸筒に固定されたスプリング支持体によって支持されており、
前記スプリング支持体には、前記複数の筆記体がそれぞれ挿通可能な複数の内孔が設けられており、
各内孔の前方端の少なくとも前記軸筒の中心軸側の一部領域には、面取り領域が設けられている
ことを特徴とする多芯筆記具。
【請求項２】
前記筆記体の少なくとも一つは、ノック式のシャープペンシルである
ことを特徴とする請求項１に記載の多芯筆記具。
【請求項３】
前記面取り領域は、各内孔の前方端の全周に設けられている
ことを特徴とする請求項１または２に記載の多芯筆記具。
【請求項４】
前記面取り領域は、径方向幅が０．１ｍｍ〜２．０ｍｍの範囲に設けられている
ことを特徴とする請求項１乃至３のいずれかに記載の多芯筆記具。
【請求項５】
前記面取り領域は、当該面取り領域が設けられた前記内孔の中心軸を含む断面における傾斜角度が１０°〜６０°の範囲のテーパ部を有する
ことを特徴とする請求項１乃至４のいずれかに記載の多芯筆記具。
【請求項６】
前記面取り領域は、当該面取り領域が設けられた前記内孔の中心軸を含む断面における曲率半径が０．１ｍｍ〜２．０ｍｍの範囲の曲面部を有する
ことを特徴とする請求項１乃至５のいずれかに記載の多芯筆記具。
【請求項７】
後方に開口する開口部が設けられ、操作部を有する操作体が設けられた複数の筆記体を収容可能な軸筒であって、
当該軸筒の側壁には、前後方向に延びる窓孔が径方向に複数分配されて貫設されていて、前記複数の筆記体が収容される時には各操作体の操作部が対応する窓孔から径方向外方に突出するようになっており、
当該軸筒の内部には、前記複数の筆記体が収容された状態から一つの操作部が前方にスライドされた時に当該操作部に対応する操作体の一部を係止することが可能な係止部が設けられており、
当該軸筒の内部には、前記複数の筆記体が収容された状態において当該複数の筆記体のそれぞれを後方に付勢することが可能な複数のコイルスプリングが設けられており、
前記複数のコイルスプリングの前端側は、前記軸筒に固定されたスプリング支持体によって支持されており、
前記スプリング支持体には、前記複数の筆記体がそれぞれ挿通可能な複数の内孔が設けられており、
各内孔の前方端の少なくとも前記軸筒の中心軸側の一部領域には、面取り領域が設けられている
ことを特徴とする多芯筆記具用の軸筒。
【請求項８】
前記面取り領域は、各内孔の前方端の全周に設けられている
ことを特徴とする請求項７に記載の多芯筆記具の軸筒。
【請求項９】
前記面取り領域は、径方向幅が０．１ｍｍ〜２．０ｍｍの範囲に設けられている
ことを特徴とする請求項７または８に記載の多芯筆記具の軸筒。
【請求項１０】
前記面取り領域は、当該面取り領域が設けられた前記内孔の中心軸を含む断面における傾斜角度が１０°〜６０°の範囲のテーパ部を有する
ことを特徴とする請求項７乃至９のいずれかに記載の多芯筆記具の軸筒。
【請求項１１】
前記面取り領域は、当該面取り領域が設けられた前記内孔の中心軸を含む断面における曲率半径が０．１ｍｍ〜２．０ｍｍの範囲の曲面部を有する
ことを特徴とする請求項７乃至９のいずれかに記載の多芯筆記具の軸筒。
【発明の詳細な説明】
【技術分野】
【０００１】
本発明は、多芯筆記具に関する。特には、軸筒内に複数の筆記体を交換可能に収容することができる多芯筆記具に関する。
【背景技術】
【０００２】
特許文献１には、軸筒の後端に開口部を設け、当該開口部を介して筆記体を軸筒内に挿入可能且つ軸筒内から取り外し可能に構成した多芯筆記具が開示されている。また、特許文献１には、筆記体としてシャープペンシルを採用できることも記載されている。
【０００３】
具体的には、図１１乃至図１６に示すように、特許文献１に開示された多芯筆記具において、軸筒２は、先細状の円筒体からなる前軸３と、当該前軸３の後端部と螺合または圧入により取り付けられる円筒状の後軸４と、からなっている。前軸３の前端には、筆記体６のペン先が突出可能な前端孔３１が軸方向に貫設されている。前軸３及び後軸４は、合成樹脂（例えば、ポリカーボネイト等）または金属により形成される。
【０００４】
後軸４の後部の側壁には、２本（３〜５本でもよい）の前後方向に延びる細長状の窓孔４１が、径方向に貫設されている。前記２本の窓孔４１は、軸線に対して互いに対称の位置に形成されている。
【０００５】
後軸４の２本の窓孔４１の相互間の側壁内面には、前後方向に延びるリブよりなる係止壁部４３が形成されている。そして、当該係止壁部４３は、ペン先が突出した状態の筆記体６の操作体７の後端を係止できるようになっている。また、例えば図１１乃至図１６に示すように、後軸４の２本の窓孔４１の相互間の側壁外面に、クリップ４４が設けられることが好ましい。
【０００６】
後軸４の後端部には、開口部４２を開閉自在にする蓋部５が回動自在に設けられている。蓋部５の一端部は、クリップ４４基部に、ヒンジ部５２により回動自在に接続されている。ヒンジ部５２は、ペン先下向きでクリップ４４を正面視したときのクリップ４４の左右方向に延設されている。これにより、蓋部５は、略前後方向に回動自在となっている。
【０００７】
蓋部５の前面には、当接壁部５１が形成されている。当該当接壁部５１に、没入状態の筆記体６の後端に連結された操作体７の後端が、衝止されるようになっている。ヒンジ部５２としては、典型的には、回動軸により回動自在に接続される構成が採用されるが、当該態様以外にも、屈曲変形可能な可撓性を有する連結部等も採用され得る。
【０００８】
そして、蓋部５の他端部の前面には、係合部５３が設けられ（具体的には例えば係合凹部または係合孔部が形成される）、後軸４の後端には、係合部５３と係合可能な被係合部４５が設けられている（具体的には例えば係合凸部が突設される）。更に詳細には、係合部５３（係合凹部または係合孔部）の内面に内向突起が形成され、被係合部４５（係合凸部）の外面には前記内向突起と乗り越え係止可能な外向突起が形成され得る。
【０００９】
この場合、係合部５３と被係合部４５とは、蓋部５が開口部４２を閉鎖している間、互いに係合状態にある（内向突起と外向突起が乗り越え係止状態にある）。その係合状態は、コイルスプリング８の後方への付勢による操作体７と蓋部５の当接壁部５１との当接では解除されず、蓋部５が開くことはない。
【００１０】
ここで、各々の筆記体６は、ノック式のシャープペンシルであり得る。具体的には、筆記体６は、鉛芯収容筒体６１と、当該鉛芯収容筒体６１の前端に鉛芯補充可能に着脱自在に取り付けられた連結筒体６２と、当該連結筒体６２の前端に設けられたチャック体６３と、連結筒体６２の前端部とチャック体６３とを内部に収容し連結筒体６２に対して前後方向に移動可能に取り付けられた前端筒体６４と、当該前端筒体６４の内部に収容されチャック体６３を締め付ける締め付けリング６５と、前端筒体６４と連結筒体６２との間に介在され前端筒体６４を連結筒体６２に対して前方に付勢するチャックスプリング６６と、を有している。前端筒体６４の前端部が、筆記体６のペン先６４ａを構成している。
【００１１】
鉛芯収容筒体６１内には、鉛芯６７が収容されている。鉛芯収容筒体６１をチャックスプリング６６の付勢に抗して前端筒体６４に対し前方に押圧すると、鉛芯収容筒体６１の前進に伴って連結筒体６２及びチャック体６３をも前進し、チャック体６３が締め付けリング６５から離れるようになっている。また、チャック体６３の前進に伴って鉛芯６７が前方に繰り出され、前端筒体６４の前端開口部から鉛芯６７が前方に突出されるようになっている。
【００１２】
一方、鉛芯収容筒体６１の前端筒体６４に対する前方への押圧を解除すると、チャック体６３がチャックスプリング６６の付勢によって後退し、締め付けリング６５がチャック体６３の外周面に再び係合し、締め付けリング６５がチャック体６３を径方向内方に再び締め付けるようになっている。これにより、チャック体６３は、繰り出された鉛芯６７を再び保持するようになっている。これにより、前端筒体６４の開口部からの鉛芯６７の突出状態が維持されるようになっている。
【００１３】
また、各々の筆記体６の後端（即ち鉛芯収容筒体６１の後端開口部４２）には、操作体７が取り付けられている。各々の操作体７は、操作部７１と、前側突出部７２と、後側突出部７３と、嵌入部７４と、鍔部７５と、を有している。操作部７１は、操作体７の後端部に形成され、且つ、軸筒２の窓孔４１から外部に突出される。後側突出部７３は、操作体７の操作部７１の反対側に設けられ、前側突出部７２は、後側突出部７３の前方に設けられ、嵌入部７４は、操作体７の前端部に形成され且つ鉛芯収容筒体６１の後端開口部４２に嵌入されている。鍔部７５は、嵌入部７４の後方に形成されており、鍔部７５の前面は、後述するコイルスプリング８の後端を押圧している。
【００１４】
また、操作体７の両方の側面に係止突起（図示せず）が形成されており、当該係止突起は窓孔４１の両側壁に抜け止め係合可能となっている。操作体７は、合成樹脂（例えば、ポリプロピレン樹脂、ＡＢＳ樹脂、ポリアセタール樹脂等）の成形体により得られる。
【００１５】
筆記体６のペン先６４ａが没入状態であるとき、当該筆記体６に取り付けられた操作体７の後端部は、当接壁部５１に衝止された状態となるようになっている。一方、筆記体６のペン先６４ａが突出状態であるとき、当該筆記体６に取り付けられた操作体７の後端部は、軸筒２の内壁に形成された係止壁部４３に係止された状態となるようになっている。
【００１６】
また、ペン先没入状態にある筆記体６に連結された操作体７の前側突出部７２は、その操作体７の操作部７１が前方にスライド操作される際、先に突出状態にある他の筆記体６があれば、当該他の筆記体６に連結された操作体７の後側突出部７３と当接して当該操作体７と係止壁部４３との係止状態を解除する、すなわち、当該他の筆記体６のペン先突出状態を解除するようになっている。
【００１７】
軸筒２の内壁（即ち後軸４の内壁）には、円筒状のスプリング支持体９が設けられている。スプリング支持体９には、各筆記体６がそれぞれ挿通される２個の内孔９１が軸方向に貫設されている。そして、スプリング支持体９の後面に、各内孔９１に対応して、コイルスプリング８が配置されている。筆記体６は、各内孔９１及び各コイルスプリング８の内部に遊挿され、操作体７の鍔部７５の前面がコイルスプリング８の後端を押圧している。
【００１８】
より詳細には、スプリング支持体９の後面には、各内孔９１に対応して、後方に突出する筒状の保持部が形成されている。そして、各保持部の内面に、各コイルスプリング８の前端部外面が圧入保持されている。これにより、筆記体６（及び操作体７）を交換する際、当該交換作業につられてコイルスプリング８が脱落してしまうことが防止されている。
【００１９】
各コイルスプリング８は、各々の操作体７（即ち各々の筆記体６）を、常時、後方に付勢している。すなわち、各コイルスプリング８は、ペン先突出状態及びペン先没入状態のいずれにおいても、圧縮状態（即ち筆記体６が後方に付勢された状態）を維持している。これにより、操作体７の前後のがたつきが防止されている。但し、各コイルスプリング８は、その内部に筆記体６が挿通されていない状態（例えば筆記体の交換作業中の状態）では、非圧縮状態（フリー状態）となるようになっている。
【００２０】
以上のような構成の多芯筆記具は、以下のように作用する。
【００２１】
一つの操作体７の操作部７１が選択されて、コイルスプリング８の後方付勢に抗して窓孔４１に沿って前方にスライド操作されると、スライド操作された操作体７の前側突出部７２が、先に突出状態にある他の筆記体６があれば、当該他の筆記体６の操作部７１の後側突出部７３を径方向外方に持ち上げる。これにより、軸筒２の内壁の係止壁部４３と他の筆記体６の操作体７との係止状態が解除され、他の筆記体６はコイルスプリング８の後方付勢により後方に移動され、すなわち、軸筒２内に没入される。当該他の筆記体６の没入と同時に、前方にスライド操作された操作体７に連結された筆記体６のペン先６４ａが、軸筒２の前端孔３１より外部に突出される。そして、前方にスライド操作された当該操作体７の後端が軸筒２の内壁の係止壁部４３に新たに係止され、そのペン先突出状態が維持される。
【００２２】
ペン先６４ａが軸筒２の前端孔３１より前方に突出された状態において、筆記体６に連結された操作体７の操作部７１を更に前方に押圧操作すると、筆記体の前端筒体６４の外面が軸筒２の前端部内壁に係止され、鉛芯収容筒体６４、連結筒体６２及びチャック体６３がチャックスプリング６６の付勢に抗して前方に移動される。これに伴って、チャック体６３が締め付けリング６５の締め付けから開放されるとともに、鉛芯６７が前方に繰り出され、前端筒体６４の前端開口部から鉛芯６７が前方に突出される。そして、操作部７１の前方への押圧が解除されると、チャック体６３がチャックスプリング６６の付勢によって後退し、締め付けリング６５がチャック体６３の外周面に再び係合し、締め付けリング６５がチャック体６３を径方向内方に再び締め付ける。これにより、チャック体６３が、前記繰り出された鉛芯６７を再び保持する。これにより、前端筒体６４の前端開口部（ペン先６４ａの前端）からの鉛芯６７の突出状態が維持される。
【００２３】
筆記体６を交換する際には、蓋部５が軸筒２の後端の開口部４２を閉鎖した状態（図１１参照）から、蓋部５のヒンジ部５２と反対側の操作端部を後方に押圧して係合部５３と被係合部４５との係合を解除し、蓋部５を後方に回動させることで、軸筒２の後端の開口部４２を開口させる。これと同時に、各操作体７は、コイルスプリング８の後方付勢により、開口部４２から後方外部へと突出される（図１３）。この状態から操作体７を取り出すことにより、当該操作体７と連結状態にある筆記体６を軸筒２内から取り出すことができる。
【００２４】
その後、新たな筆記体６（と新たな操作体７）を開口部４２を通して軸筒２内に挿入する。そして、蓋部５の当接壁部５１に各々の操作体７を当接させて各々の操作体７を前方に押圧するように蓋部５を前方に回動させ、係合部５３と被係止部とを係合させ、開口部４２を閉鎖させる。これに伴って、新たな操作体７の鍔部７５の前面が対応するコイルスプリング８の後端を押圧した状態となり、筆記体６（及び操作体７）の交換作業が終了する。
【先行技術文献】
【特許文献】
【００２５】
【特許文献１】特開２０１０−５８３０
【発明の概要】
【発明が解決しようとする課題】
【００２６】
図１１乃至図１６を用いて説明した多芯筆記具は、すでに商品化され、良好な販売実績を残している。但し、商品化の際、筆記体６は、チャックスプリング６６がチャックスプリング保持筒１６６ｔによって囲まれた態様に設計変更されている（図４参照）。
【００２７】
ここで、鉛芯は、鉛芯収容筒体６１と連結筒体６２とを分離させた状態で、鉛芯収容筒体６１の内部に収容される。すなわち、鉛芯収容筒体６１と連結筒体６２とは、構造上、円滑に分離可能（且つ再結合可能）である必要がある。そのため、両者の間に僅かな段差ａが存在している（図４参照）。
【００２８】
一方、スプリング支持体９も、商品化の際、各内孔９１毎に設けられていた筒状の保持部が一体化されて、図１７に示すように、軸方向に長い（約２１ｍｍ）全体に筒状の部材に設計変更されている。
【００２９】
そして、本件発明者は、商品の改善点について鋭意の検討を重ねる内に、欠点という程ではないが、改善可能な課題を見出すに至った。それは、筆記体６を交換するべく当該筆記体６を軸筒２内から取り出す際に、図１８に示すように、段差ａ（０．３ｍｍである）がスプリング支持体９の内孔９１の端部に引っ掛かって、ユーザに不快感を与え得るという課題である。
【００３０】
本発明は、以上のような知見に鑑みてなされたものであり、その目的とするところは、軸筒内に複数の筆記体を交換可能に収容することができる多芯筆記具であって、筆記体を交換する際にユーザに不快感を与えない多芯筆記具を提供することである。
【課題を解決するための手段】
【００３１】
本発明は、後方に開口する開口部が設けられた軸筒と、前記軸筒内に交換可能に収容された複数の筆記体と、を備え、各筆記体の後端側には、操作部を有する操作体が設けられており、前記軸筒の側壁には、前後方向に延びる窓孔が径方向に複数分配されて貫設されており、各操作体の操作部が、対応する窓孔から径方向外方に突出しており、前記軸筒の内部には、ある操作部が前方にスライドされた時に当該操作部に対応する操作体の一部を係止することが可能な係止部が設けられており、前記軸筒の内部には、前記複数の筆記体のそれぞれを後方に付勢する複数のコイルスプリングが設けられており、前記複数のコイルスプリングの前端側は、前記軸筒に固定されたスプリング支持体によって支持されており、前記スプリング支持体には、前記複数の筆記体がそれぞれ挿通可能な複数の内孔が設けられており、各内孔の前方端の少なくとも前記軸筒の中心軸側の一部領域には、面取り領域が設けられていることを特徴とする多芯筆記具である。
【００３２】
本発明によれば、各内孔の前方端の少なくとも軸筒の中心軸側の一部領域に面取り領域が設けられていることにより、筆記体を交換するべく当該筆記体を軸筒内から取り出す際に筆記体の段差が内孔の前方端に引っ掛かるという事象の発生を、顕著に抑制することができる。これによって、ユーザに不快感を与え得るという懸念を払拭することができる。
【００３３】
特には、前記筆記体の少なくとも一つは、ノック式のシャープペンシルである。この場合において、従来、筆記体の段差が内孔の前方端に引っ掛かるという事象が時々発生し得た。
【００３４】
なお、本発明の作用効果の観点からは、前述のように、面取り領域は軸筒の中心軸側の一部領域に設けられて入れば足りる。具体的には、例えば、複数の内孔が軸筒の中心軸から等しい距離に設けられている場合、当該軸筒と同心で複数の内孔の中心軸を通る仮想円筒面の内側領域のみに面取り領域が設けられていれば足りる（図８参照）。但し、製造上の観点（例えばプラスチック射出成形による製造精度及び製造コストの観点）からは、面取り領域を各内孔の前方端の全周に設けることが好ましい。
【００３５】
本件発明者による各種試作品の製造及び評価実験の結果として、筆記体の段差が内孔の前方端に引っ掛かることを効果的に抑制するためには、前記面取り領域は、径方向幅が０．１ｍｍ〜２．０ｍｍの範囲に設けられていることが好ましい（段差ａの寸法（０．３ｍｍ）よりも大きいことが好ましい）。そして、前記面取り領域は、当該面取り領域が設けられた前記内孔の中心軸を含む断面における傾斜角度が１０°〜６０°の範囲のテーパ部を有することが好ましく、あるいは、当該面取り領域が設けられた前記内孔の中心軸を含む断面における曲率半径が０．１ｍｍ〜２．０ｍｍの範囲の曲面部を有することが好ましい。
【００３６】
また、本発明は、以上の多芯筆記具の軸筒のみをも対象とするものである。すなわち、本発明は、後方に開口する開口部が設けられ、操作部を有する操作体が設けられた複数の筆記体を収容可能な軸筒であって、当該軸筒の側壁には、前後方向に延びる窓孔が径方向に複数分配されて貫設されていて、前記複数の筆記体が収容される時には各操作体の操作部が対応する窓孔から径方向外方に突出するようになっており、当該軸筒の内部には、前記複数の筆記体が収容された状態から一つの操作部が前方にスライドされた時に当該操作部に対応する操作体の一部を係止することが可能な係止部が設けられており、当該軸筒の内部には、前記複数の筆記体が収容された状態において当該複数の筆記体のそれぞれを後方に付勢することが可能な複数のコイルスプリングが設けられており、前記複数のコイルスプリングの前端側は、前記軸筒に固定されたスプリング支持体によって支持されており、前記スプリング支持体には、前記複数の筆記体がそれぞれ挿通可能な複数の内孔が設けられており、各内孔の前方端の少なくとも前記軸筒の中心軸側の一部領域には、面取り領域が設けられていることを特徴とする多芯筆記具用の軸筒である。
【発明の効果】
【００３７】
本発明によれば、各内孔の前方端の少なくとも軸筒の中心軸側の一部領域に面取り領域が設けられていることにより、筆記体を交換するべく当該筆記体を軸筒内から取り出す際に筆記体の段差が内孔の前方端に引っ掛かるという事象の発生を、顕著に抑制することができる。これによって、ユーザに不快感を与え得るという懸念を払拭することができる。
【図面の簡単な説明】
【００３８】
【図１】本発明の一実施形態における多芯筆記具の概略縦断面図であって、全ての筆記体が突出していない状態を示す図である。
【図２】図１の多芯筆記具の概略縦断面図であって、ノック式のシャープペンシルが突出している状態を示す図である。
【図３】図１の多芯筆記具の概略縦断面図であって、ノック式のシャープペンシルを取り出している状態を示す図である。
【図４】図１の多芯筆記具の筆記体であるノック式のシャープペンシルの拡大図である。
【図５】図１の多芯筆記具のスプリング支持体の前方側から見た斜視図である。
【図６】図６（ａ）は、図５のスプリング支持体の前方側から見た正面図であり、図６（ｂ）は、図５のスプリング支持体の縦断面図である。
【図７】図３の破線部の拡大図である。
【図８】内孔の前方端の少なくとも軸筒の中心軸側の一部領域の一例を示す図である。
【図９】図９（ａ）は、スプリング支持体の変形例の前方側から見た正面図であり、図９（ｂ）は、当該スプリング支持体の変形例の縦断面図である。
【図１０】図９（ａ）及び図９（ｂ）のスプリング支持体の変形例を採用した場合の、図７に対応する図である。
【図１１】従来の多芯筆記具の全ペン先没入状態（非筆記状態）を示す縦断面図である。
【図１２】図１１の多芯筆記具の一つのペン先が突出した状態（筆記状態）を示す縦断面図である。
【図１３】図１１の多芯筆記具の後端の開口部を開口した状態を示す側面図である。
【図１４】図１１の筆記体の前端部を示す拡大縦断面図である。
【図１５】図１１の筆記体後端部及び操作体を示す拡大縦断面図である。
【図１６】図１１の互いに連結状態にある筆記体及び操作体を示す外観図である。
【図１７】商品化された多芯筆記具におけるスプリング支持体を示す斜視図である。
【図１８】筆記体の段差が引っ掛かる様子を示す概略断面図である。
【発明を実施するための形態】
【００３９】
以下、図面を参照して本発明の一実施の形態について説明する。  
【００４０】
図１は、本発明の一実施形態における多芯筆記具１０１の概略縦断面図であって、全ての筆記体が突出していない状態を示す図であり、図２は、図１の多芯筆記具１０１の概略縦断面図であって、ノック式のシャープペンシル１０６が突出している状態を示す図であり、図３は、図１の多芯筆記具１０１の概略縦断面図であって、ノック式のシャープペンシル１０６を取り出している状態を示す図である。また、図４は、図１の多芯筆記具１０１の筆記体の１つであるノック式のシャープペンシル１０６の拡大図である。
【００４１】
そして、図５は、図１の多芯筆記具１０１のスプリング支持体１０９の前方側から見た斜視図であり、図６（ａ）は、図５のスプリング支持体１０９の前方側から見た正面図であり、図６（ｂ）は、図５のスプリング支持体１０９の縦断面図である。また、図７は、図３の破線部の拡大図である。
【００４２】
図１乃至図７に示す本実施形態の多芯筆記具１０１の基本的構成は、ノック式シャープペンシルである筆記体１０６とスプリング支持体１０９とを除けば、図１１乃至図１６を参照して説明した従来の多芯筆記具１と略同様である。
【００４３】
具体的には、本実施形態の多芯筆記具１０１において、図１に示すように、軸筒１０２は、先細状の円筒体からなる前軸１０３と、当該前軸１０３の後端部と螺合または圧入により取り付けられる円筒状の後軸１０４と、からなっている。前軸１０３の前端には、筆記体１０６のペン先が突出可能な前端孔１３１が軸方向に貫設されている。前軸１０３及び後軸１０４は、合成樹脂（例えば、ポリカーボネイト等）または金属により形成される。
【００４４】
後軸１０４の後部の側壁には、図２に示すように、本実施形態では５本（２〜６本から選択され得る）の前後方向に延びる細長状の窓孔１４１が、径方向に貫設されている。５本の窓孔１４１は、例えば、周方向に等間隔に形成されている。
【００４５】
後軸１０４の５本の窓孔１４１の内側の軸心側の領域には、前後方向に延びるリリースバー１４３が延出されている。リリースバー１４３の前方端は、後述するスプリング支持体１０９に支持されている。一方、後軸１０４の５本の窓孔１４１の相互間の側壁内面には、前後方向に延びる係止壁部１４３ａが形成されており、当該係止壁部１４３ａは、ペン先が突出した状態の筆記体１０６の操作体１０７の後端を係止できるようになっている。そして、ペン先が突出した状態の筆記体１０６の操作体１０７の後端が当該係止壁部１４３ａに係止されている際において、代わりに他の筆記体１０６、２０６を突出させるべく当該他の筆記体１０６、２０６の操作体１０７が前方に移動される時に、当該他の筆記体１０６、２０６の操作体１０７がリリースバー１４３を径方向外方に押圧し、当該押圧されたリリースバー１４３が前記係止壁部１４３ａに係止されていた操作体１０７の後端を径方向外方に押圧してその係止状態を解除するようになっている。その他、後軸１０４の５本の窓孔１４１の相互間の側壁外面の一カ所に、クリップ１４４が設けられている。
【００４６】
後軸１０４の後端部には、図３に示すように、開口部１４２を開閉自在にする蓋部１０５が回動自在に設けられている。蓋部１０５の一端部は、例えば、クリップ１４４基部に、ヒンジ部により回動自在に接続され得る。ヒンジ部は、例えば、ペン先下向きでクリップ１４４を正面視したときのクリップ１４４の左右方向に延設され得る。この場合、蓋部１０５は、略前後方向に回動自在であり得る。
【００４７】
蓋部１０５の前面には、当接壁部１５１が形成されている。当該当接壁部１５１に、没入状態の筆記体１０６の後端に連結された操作体１０７の後端が、衝止されるようになっている（図１参照）。ヒンジ部としては、典型的には、回動軸により回動自在に接続される構成が採用され得るが、当該態様以外にも、屈曲変形可能な可撓性を有する連結部等も採用され得る。
【００４８】
そして、例えば、蓋部１０５の他端部の前面には、係合部が設けられ（例えば係合凹部または係合孔部）、後軸１０４の後端には、当該係合部と係合可能な被係合部が設けられ得る（例えば係合凸部）。更に詳細には、係合部（係合凹部または係合孔部）の内面に内向突起が形成され得て、被係合部（係合凸部）の外面に前記内向突起と乗り越え係止可能な外向突起が形成され得る。
【００４９】
この場合、係合部と被係合部とは、蓋部１０５が開口部１４２を閉鎖している間、互いに係合状態にある（内向突起と外向突起が乗り越え係止状態にある）。その係合状態は、コイルスプリング１０８の後方への付勢による操作体１０７と蓋部１０５の当接壁部１５１との当接では解除されず、蓋部１０５が開くことはない。
【００５０】
ここで、図１乃至図３に示すように、本実施形態においては、一つの筆記体１０６が、ノック式のシャープペンシルであり、他の筆記体２０６は、ボールペンである。
【００５１】
図４に示すように、ノック式のシャープペンシルである筆記体１０６は、鉛芯収容筒体１６１と、当該鉛芯収容筒体１６１の前端に鉛芯補充可能に着脱自在に取り付けられた連結筒体１６２と、当該連結筒体１６２の前端に設けられたチャック体と（図１４参照）、連結筒体６２の前端部とチャック体とを内部に収容し連結筒体１６２に対して前後方向に移動可能に取り付けられた前端筒体１６４と、当該前端筒体１６４の内部に収容されチャック体を締め付ける締め付けリングと（図１４参照）、前端筒体１６４と連結筒体１６２との間に介在され前端筒体１６４を連結筒体１６２に対して前方に付勢するチャックスプリングと（図１４参照）、を有している。チャックスプリングは、チャックスプリング保持筒１６６ｔによって囲まれており、前端筒体１６４の前端部が、筆記体１０６のペン先１６４ａを構成している。
【００５２】
チャックスプリング保持筒１６６ｔの内部の構成、すなわち、チャックスプリング（６６）と、前端筒体１６４の内部の構成、すなわち、チャック体（６３）及び締め付けリング（６５）は、図４では視認できないが、図１４に示した従来構成と略同様である。
【００５３】
そして、鉛芯収容筒体１６１内には、鉛芯が収容されている。鉛芯収容筒体１６１をチャックスプリングの付勢に抗して前端筒体１６４に対し前方に押圧すると、鉛芯収容筒体１６１の前進に伴って連結筒体１６２及びチャック体をも前進し、チャック体が締め付けリングから離れるようになっている。また、チャック体の前進に伴って鉛芯が前方に繰り出され、前端筒体１６４の前端開口部から鉛芯が前方に突出されるようになっている。
【００５４】
一方、鉛芯収容筒体１６１の前端筒体１６４に対する前方への押圧を解除すると、チャック体がチャックスプリングの付勢によって後退し、締め付けリングがチャック体の外周面に再び係合し、締め付けリングがチャック体を径方向内方に再び締め付けるようになっている。これにより、チャック体は、繰り出された鉛芯を再び保持するようになっている。これにより、前端筒体１６４の開口部からの鉛芯の突出状態が維持されるようになっている。
【００５５】
また、各々の筆記体１０６、２０６の後端（即ち鉛芯収容筒体１６１の後端開口部１４２及びインキ収容筒体の後端開口部）には、操作体１０７が取り付けられている。各々の操作体１０７は、特には図２及び図３に示すように、操作部１７１と、前側突出部１７２と、後側突出部１７３と、嵌入部１７４と、鍔部１７５と、を有している。操作部１７１は、操作体１０７の後端部に形成され、且つ、軸筒１０２の窓孔１４１から外部に突出される。後側突出部１７３は、操作体１０７の操作部１７１の反対側に設けられ、前側突出部１７２は、後側突出部１７３の前方に設けられ、嵌入部１７４は、操作体１０７の前端部に形成され且つ鉛芯収容筒体１６１の後端開口部１４２またはインキ収容筒体の後端開口部に嵌入されている。鍔部１７５は、嵌入部１７４の後方に形成されており、鍔部１７５の前面は、後述するコイルスプリング１０８の後端を押圧している。
【００５６】
また、操作体１０７の両方の側面に係止突起（図示せず）が形成されており、当該係止突起は窓孔１４１の両側壁に抜け止め係合可能となっている。操作体１０７は、合成樹脂（例えば、ポリプロピレン樹脂、ＡＢＳ樹脂、ポリアセタール樹脂等）の成形体により得られる。
【００５７】
筆記体１０６のペン先１６４ａが没入状態であるとき、当該筆記体１０６に取り付けられた操作体１０７の後端部は、当接壁部１５１に衝止された状態となるようになっている(図１参照）。一方、筆記体１０６のペン先１６４ａが突出状態であるとき、当該筆記体１０６に取り付けられた操作体１０７の後端が、軸筒１０２の内部に形成された係止壁部１４３ａに係止された状態となるようになっている（図２参照）。
【００５８】
また、ペン先没入状態にある筆記体１０６、２０６に連結された操作体１０７の前側突出部１７２は、その操作体１０７の操作部１７１が前方にスライド操作される際、リリースバー１４３を径方向外方に押圧する。この際に、先に突出状態にある他の筆記体１０６、２０６があれば、径方向外方に押圧されたリリースバー１４３が、当該他の筆記体１０６、２０６に連結された操作体１０７の後側突出部１７３を当該方向に押圧して、操作体１０７の後端と係止壁部１４３ａとの係止状態を解除する、すなわち、当該他の筆記体１０６、２０６のペン先突出状態を解除するようになっている。
【００５９】
一方、軸筒１０２の内部（後軸１０４の内部）には、円筒状のスプリング支持体１０９が設けられている。スプリング支持体１０９には、各筆記体１０６、２０６がそれぞれ挿通される５個の内孔１９１が軸方向に貫設されている。そして、スプリング支持体１０９の後面側に、各内孔１９１に対応して、コイルスプリング１０８が配置されている。筆記体１０６、２０６は、各内孔１９１及び各コイルスプリング１０８の内部に遊挿され、操作体１０７の鍔部１７５の前面がコイルスプリング１０８の後端を押圧している。
【００６０】
より詳細には、スプリング支持体１０９の後端面に、各内孔１９１に対応して、筒状の凹部が形成されている。そして、各凹部に、各コイルスプリング１０８の前端部外面が圧入保持されている。これにより、筆記体１０６、２０６（及び操作体１０７）を交換する際、当該交換作業につられてコイルスプリング１０８が脱落してしまうことが防止されている。
【００６１】
各コイルスプリング１０８は、各々の操作体１０７（即ち各々の筆記体１０６、２０６）を、常時、後方に付勢している。すなわち、各コイルスプリング１０８は、ペン先突出状態及びペン先没入状態のいずれにおいても、圧縮状態（即ち筆記体１０６、２０６が後方に付勢された状態）を維持している。これにより、操作体１０７の前後のがたつきが防止されている。但し、各コイルスプリング１０８は、その内部に筆記体１０６、２０６が挿通されていない状態（例えば筆記体の交換作業中の状態）では、非圧縮状態（フリー状態）となるようになっている。
【００６２】
また、本実施形態のスプリング支持体１０９においては、図５、図６（ａ）及び図６（ｂ）に示すように、各内孔１９１の前方端の全周に、面取り領域１９３が設けられている。面取り領域１９３は、径方向幅ｂが０．１ｍｍ〜２．０ｍｍの範囲であって、内孔１９１の中心軸を含む断面（図６（ｂ）参照）における傾斜角度θが１０°〜６０°の範囲であることが好ましく、本実施の形態では、ｂ＝０．４ｍｍ、θ＝４５°が採用されている。
【００６３】
以上のような構成の多芯筆記具１０１は、以下のように作用する。
【００６４】
一つの操作体１０７の操作部１７１が選択されて、コイルスプリング１０８の後方付勢に抗して窓孔１４１に沿って前方にスライド操作されると、スライド操作された操作体１０７の前側突出部１７２が、リリースバー１４３を径方向外方に押圧する。この際に、先に突出状態にある他の筆記体１０６、２０６があれば、径方向外方に押圧されたリリースバー１４３が、当該他の筆記体１０６、２０６の後側突出部１７３を当該方向に押圧して、操作体１０７の後端と係止壁部１４３ａとの係止状態を解除する。これにより、当該他の筆記体１０６、２０６はコイルスプリング１０８の後方付勢により後方に移動され、すなわち、軸筒１０２内に没入される。当該他の筆記体１０６、２０６の没入と同時に、前方にスライド操作された操作体１０７に連結された筆記体１０６、２０６のペン先が、軸筒１０２の前端孔１３１より外部に突出される。そして、前方にスライド操作された当該操作体１０７の後端が軸筒１０２の内部の係止壁部１４３ａに新たに係止され、そのペン先突出状態が維持される。
【００６５】
筆記体１０６（ノック式シャープペンシル）のペン先１６４ａが軸筒１０２の前端孔１３１より前方に突出された状態において、筆記体１０６に連結された操作体１０７の操作部１７１を更に前方に押圧操作すると、筆記体１０６の前端筒体１６４の外面が軸筒１０２の前端部内壁に係止され、鉛芯収容筒体１６１、連結筒体１６２及びチャック体がチャックスプリングの付勢に抗して前方に移動される。これに伴って、チャック体が締め付けリングの締め付けから開放されるとともに、鉛芯が前方に繰り出され、前端筒体１６４の前端開口部から鉛芯が前方に突出される。そして、操作部１７１の前方への押圧が解除されると、チャック体がチャックスプリングの付勢によって後退し、締め付けリングがチャック体の外周面に再び係合し、締め付けリングがチャック体を径方向内方に再び締め付ける。これにより、チャック体が、前記繰り出された鉛芯を再び保持する。これにより、前端筒体１６４の前端開口部（ペン先１６４ａの前端）からの鉛芯の突出状態が維持される。
【００６６】
筆記体１０６を交換する際には、蓋部１０５が軸筒１０２の後端の開口部１４２を閉鎖した状態（図１参照）から、蓋部１０５のヒンジ部と反対側の操作端部を後方に押圧して係合部と被係合部との係合を解除し、蓋部１０５を後方に回動させることで、軸筒１０２の後端の開口部１４２を開口させる。これと同時に、各操作体１０７は、コイルスプリング１０８の後方付勢により、開口部１４２から後方外部へと突出される。この状態から操作体１０７を取り出すことにより(図３参照）、当該操作体１０７と連結状態にある筆記体１０６を軸筒１０２内から取り出すことができる。
【００６７】
ここで、従来のスプリング支持体９の場合には、図１８に示すように、筆記体１０６の段差ａがスプリング支持体９の内孔９１の端部に引っ掛かって、筆記体１０６の取り出し作業においてユーザに不快感を与え得る、という課題があった。これに対して、本実施形態のスプリング支持体１０９によれば、各内孔１９１の前方端の全周に面取り領域１９３が設けられていることにより、図７に示すように、筆記体１０６を交換するべく当該筆記体１０６を軸筒１０２内から取り出す際に筆記体１０６の段差ａが内孔１９１の前方端に引っ掛かるという事象の発生を、顕著に抑制することができる（筆記体１０６の取り出し作業が滑らかになる）。
【００６８】
その後、新たな筆記体１０６（と新たな操作体１０７）を開口部１４２を通して軸筒１０２内に挿入する。そして、蓋部１０５の当接壁部１５１に各々の操作体１０７を当接させて各々の操作体１０７を前方に押圧するように蓋部１０５を前方に回動させ、係合部と被係止部とを係合させ、開口部１４２を閉鎖させる。これに伴って、新たな操作体１０７の鍔部１７５の前面が対応するコイルスプリング１０８の後端を押圧した状態となり、筆記体１０６（及び操作体１０７）の交換作業が終了する。
【００６９】
以上の通り、本実施形態の多芯筆記具１０１によれば、各内孔１９１の前方端の全周に面取り領域１９３が設けられていることにより、筆記体１０６を交換するべく当該筆記体１０６を軸筒１０２内から取り出す際に筆記体１０６の段差ａが内孔１９１の前方端に引っ掛かるという事象の発生を、顕著に抑制することができる。これによって、ユーザに不快感を与え得るという懸念を払拭することができる。
【００７０】
なお、前記実施形態の多芯筆記具１０１においては、各内孔１９１の前方端の全周に面取り領域１９３が設けられているが、本発明の作用効果の観点からは、面取り領域１９３は軸筒１０２の中心軸側の一部領域に設けられて入れば足りる。具体的には、例えば、複数の内孔１９１が軸筒１０２の中心軸から等しい距離に設けられている場合、図８のハッチング領域に示すように、軸筒１０２と同心で複数の内孔１９１の中心軸を通る仮想円筒面の内側領域のみに面取り領域が設けられていれば足りる。但し、製造上の観点（例えばプラスチック射出成形による製造精度及び製造コストの観点）からは、面取り領域１９３を各内孔１９１の前方端の全周に設けることが好ましい。
【００７１】
また、前記実施形態の面取り領域１９３は、径方向幅ｂが０．４ｍｍであって、内孔１９１の中心軸を含む断面（図６（ｂ）参照）における傾斜角度θが４５°であるが、面取り領域は曲面によって形成されてもよい。
【００７２】
例えば、図９（ａ）は、スプリング支持体の変形例の前方側から見た正面図であり、図（ｂ）は、当該スプリング支持体の変形例の縦断面図である。図９（ａ）及び図９（ｂ）に示すように、面取り領域１９５は、径方向幅ｂが０．１ｍｍ〜２．０ｍｍの範囲であって、内孔１９１の中心軸を含む断面（図９（ｂ）参照）における曲率半径Ｒが０．１ｍｍ〜２．０ｍｍの範囲の曲面部を有していてもよい（図９（ｂ）の例では、ｂ＝０．３５ｍｍ、Ｒ＝０．３５ｍｍである。
【００７３】
図１０は、図９（ａ）及び図９（ｂ）のスプリング支持体の変形例を採用した場合の、図７に対応する図である。この場合も、図１０に示すように、筆記体１０６を交換するべく当該筆記体１０６を軸筒１０２内から取り出す際に筆記体１０６の段差ａが内孔１９１の前方端に引っ掛かるという事象の発生を、顕著に抑制することができる（筆記体１０６の取り出し作業が滑らかになる）。
【符号の説明】
【００７４】
１０１  多芯筆記具（本発明の一実施形態）
１０２  軸筒
１０３  前軸
１３１  前端孔
１０４  後軸
１４１  窓孔
１４２  開口部
１４３  リリースバー
１４３ａ  係止壁部
１４４  クリップ
１０５  蓋部
１５１  当接壁部
１０６  筆記体（ノック式のシャープペンシル）
２０６  筆記体（ボールペン）
１６１  鉛芯収容筒体
１６２  連結筒体
１６４  前端筒体
１６４ａ  ペン先
１０７  操作体
１７１  操作部
１７２  前側突出部
１７３  後側突出部
１７４  嵌入部
１７５  鍔部
１０８  コイルスプリング
１０９  スプリング支持体
１９１  内孔
１９３  面取り領域（切頭円錐面状）
１９５  面取り領域（曲面状）
１  多芯筆記具（従来技術）
２  軸筒
３  前軸
３１  前端孔
４  後軸
４１  窓孔
４２  開口部
４３  係止壁部
４４  クリップ
４５  被係合部
５  蓋部
５１  当接壁部
５２  ヒンジ部
５３  係合部
６  筆記体
６１  鉛芯収容筒体
６２  連結筒体
６３  チャック体
６４  前端筒体
６４ａ  ペン先
６５  締め付けリング
６６  チャックスプリング
６７  鉛芯
７  操作体
７１  操作部
７２  前側突出部
７３  後側突出部
７４  嵌入部
７５  鍔部
８  コイルスプリング
９  スプリング支持体
９１  内孔
【図１】
2018167410.tif 000003
【図２】
2018167410.tif 000004
【図３】
2018167410.tif 000005
【図４】
2018167410.tif 000006
【図５】
2018167410.tif 000007
【図６】
2018167410.tif 000008
【図７】
2018167410.tif 000009
【図８】
2018167410.tif 000010
【図９】
2018167410.tif 000011
【図１０】
2018167410.tif 000012
【図１１】
2018167410.tif 000013
【図１２】
2018167410.tif 000014
【図１３】
2018167410.tif 000015
【図１４】
2018167410.tif 000016
【図１５】
2018167410.tif 000017
【図１６】
2018167410.tif 000018
【図１７】
2018167410.tif 000019
【図１８】
2018167410.tif 000020